(57)【特許請求の範囲】
【請求項１】
地盤上に設置された側壁に横架され、アーチ状に湾曲成形されたプレキャストコンクリート製のトンネル用アーチ部材において、埋込体を埋設しており、前記埋込体は中空であって、複数の管を同軸上に連結して構成されることを特徴とするトンネル用アーチ部材。
【請求項２】
地盤上に設置された側壁に横架され、アーチ状に湾曲成形されたプレキャストコンクリート製のトンネル用アーチ部材において、埋込体を埋設しており、前記埋込体は中空であって、複数の角管を同軸上に連結して構成されることを特徴とするトンネル用アーチ部材。
【請求項３】
前記埋込体はアーチ状に曲げ成形した管で構成されることを特徴とする請求項１又は２記載のトンネル用アーチ部材。
【請求項４】
前記埋込体は鋼管で構成されることを特徴とする請求項３記載のトンネル用アーチ部材。
【請求項５】
地盤上に設置された側壁に横架され、アーチ状に湾曲成形されたプレキャストコンクリート製のトンネル用アーチ部材において、埋込体が埋設されており、前記埋込体はアーチ状に曲げ成形した鋼管で構成され、前記鋼管は一対の平形鋼と一対のみぞ形鋼とを備えコンクリートが内部に流入しないように構成されることを特徴とするトンネル用アーチ部材。
【発明の詳細な説明】
【技術分野】
【０００１】
本発明は、トンネルの構築に用いられるアーチ部材に関し、特に軽量化したトンネル用アーチ部材に関するものである。
【背景技術】
【０００２】
従来、プレキャストコンクリート製のアーチ部材を側壁に横架してトンネルを構築しているものがあった。例えば、トンネル長さ方向に延びる底版の幅方向両端間に、左右一対の円弧版状のプレキャストコンクリート版がアーチ状に架け渡されるとともにトンネル長さ方向に連結され、底版の幅方向両端には、各プレキャストコンクリート版の脚部の外側において脚部の外面と適宜の間隔をあけて上方に膨出しトンネル長さ方向に延びる側帯が一体に設けられ、この側帯と前記脚部の間に受圧部材が介在されるとともに、脚部が側帯にボルト等の締結部材で締結され、前記コンクリート版を覆って盛土が施されて構成されるものが開示されている（特許文献１）。
【特許文献１】特開平７−２１６９１７号公報
【発明の開示】
【発明が解決しようとする課題】
【０００３】
しかし、上記した特許文献において、円弧版状のプレキャストコンクリート版は重量物であるため、運搬並びに設置が困難であり作業工数が増大しコストの高騰を招くという問題があった。このような問題は大断面のトンネル構造においては、円弧版状のプレキャストコンクリート版が大型化するため顕著であった。
【０００４】
そこで、本発明は上記した問題点に鑑み、アーチ部材の運搬、設置を容易にすることによりコストの低減を図ることのできるトンネル用アーチ部材を提供することを目的とする。
【課題を解決するための手段】
【０００５】
上記目的を達成するために、請求項１に係る発明は、地盤上に設置された側壁に横架されるアーチ状に湾曲したプレキャストコンクリート製のトンネル用アーチ部材において、埋込体を埋設していることを特徴とする。
【０００６】
また、請求項１に係る発明は、前記埋込体が中空であって、複数の管を同軸上に連結して構成されることを特徴とする。
【０００７】
また、請求項２に係る発明は、地盤上に設置された側壁に横架されるアーチ状に湾曲したプレキャストコンクリート製のトンネル用アーチ部材において、埋込体を埋設しており、前記埋込体が中空であって、複数の角管を同軸上に連結して構成されることを特徴とする。
【０００８】
また、請求項３に係る発明は、前記埋込体が中空であって、アーチ状に曲げ成形した管で構成されることを特徴とする。
【０００９】
また、請求項４に係る発明は、前記埋込体が中空であって、鋼管で構成されることを特徴とする。
【００１０】
また、請求項５に係る発明は、地盤上に設置された側壁に横架され、アーチ状に湾曲成形されたプレキャストコンクリート製のトンネル用アーチ部材において、埋込体が埋設されており、前記埋込体はアーチ状に曲げ成形した鋼管で構成され、前記鋼管は一対の平形鋼と一対のみぞ形鋼とを備えコンクリートが内部に流入しないように構成されることを特徴とする。
【発明の効果】
【００１１】
本発明の請求項１に記載のトンネル用アーチ部材によれば、埋込体を埋設することにより、トンネル用アーチ部材を中空にして、軽量化を図り、トンネル用アーチ部材の運搬、設置を容易にすることによりコストを低減できる。
【００１２】
また、請求項１に記載のトンネル用アーチ部材によれば、複数の管を同軸上に連結して構成されることにより、トンネル用アーチ部材の周方向の全体に渡って埋込体を埋設することができ、効果的に軽量化を図れる。
【００１３】
また、請求項２に記載のトンネル用アーチ部材によれば、角管の幅を管の直径と同じ長さとした場合、埋込体の断面積を大きくすることができるので、一定の強度を保持しながら、トンネル用アーチ部材を効率的に軽量化することができる。
【００１４】
また、請求項３に記載のトンネル用アーチ部材によれば、埋込体がアーチ部材の湾曲形状に合わせてアーチ状に曲げ成形されていることにより、埋込体を一体化することができ、工場にてトンネル用アーチ部材を形成する際、工数を低減できコストを削減することができる。
【００１５】
また、請求項４に記載のトンネル用アーチ部材によれば、埋込体を鋼管で構成することとしたことにより、トンネル用アーチ部材の強度が向上し、トンネル用アーチ部材内に配筋される鉄筋を簡略化でき、トンネル用アーチ部材の構成を簡素化することによってコストの低減を図ることができる。
【００１６】
また、請求項５に記載のトンネル用アーチ部材によれば、前記埋込体がアーチ状に曲げ成形した鋼管で構成され、前記鋼管は一対の平形鋼と一対のみぞ形鋼とを備えコンクリートが内部に流入しないように構成されることにより、軽量化を図ると共に、トンネル用アーチ部材の強度を向上することができるので、トンネル用アーチ部材内に配筋される鉄筋を簡略化でき、トンネル用アーチ部材の構成を簡素化することによってコストの低減を図ることができる。
【発明を実施するための最良の形態】
【００１７】
以下図面を参照して、本発明の好適な実施形態について説明する。
【００１８】
図１に示すトンネル構造１は、トンネル底側部からトンネル高さ方向に延びる左右一対のプレキャストコンクリート製のＬ形部材２と、前記Ｌ形部材２の上方に横架されるプレキャストコンクリート製のトンネル用アーチ部材３（以下、アーチ部材）とにより形成される。また、Ｌ形部材２の間には中央底版部４が現場打ちコンクリートにより形成される。
【００１９】
Ｌ形部材２は、地盤Ｇに当接する底部５と、前記底部５の一端から垂直に延びる側壁である側壁部６とからなり、予め工場で形成されたものである。前記側壁部６は、内側すなわち底部５の他端側へ上方が緩やかに湾曲しており、トンネルの高さの略中間の高さに形成される。また、Ｌ形部材２には、トンネルの長さ方向における縦締めを行うための縦締用挿通孔７が設けられる。
【００２０】
アーチ部材３は、上方に凸となるようにトンネルの幅方向に湾曲して形成された前記側壁部６と略同じ厚さを有する矩形の版部材であって、予め工場で形成されたものである。このアーチ部材３は、周方向の一端に設けられた接合部８と、他端に設けられた頂部９とを備える。このアーチ部材３は、左右一対として構成され、前記頂部端面で互いに突き合わされてトンネルの天井部分に配置される。また、アーチ部材３には、トンネルの長さ方向における縦締めを行うための縦締用挿通孔７が外周面側に設けられる。アーチ部材３には、埋込体11が埋設されており、これによりアーチ部材３の軽量化を図ることができる。
【００２１】
埋込体11は例えば、紙、段ボール、発泡スチロール、また、塩化ビニル等により形成された内部が空洞である管で構成される。埋込体11である管の直径Ａは、断面高さＨに対し略半分の長さに形成される。埋込体11の両端は図示しない蓋部材で閉塞されており、コンクリートの流入を防いで空洞の状態で保持されている。この埋込体11は、複数の管（この場合、４個）を同軸上に連結して、図示しない鉄筋に固定されることによって、湾曲している周方向の略全体に渡って埋設することができる。
【００２２】
次に、上記したトンネル構造１の構築方法について説明する。
【００２３】
まず、プレキャストコンクリート製のＬ形部材２及びアーチ部材３を設置する場合について説明する。開削した地盤Ｇ上に、均しコンクリートにより基礎12を敷設し、この基礎12の上に、図示しない敷きモルタルを施工した後、前記Ｌ形部材２を左右一対として設置する。Ｌ形部材２は、底部５と一体化されているので、自立することができ、作業性を向上することができる。次に、Ｌ形部材２の側壁部６に一方のアーチ部材３を横架し、接合部８において側壁部６へ接続する。同様にして他方のアーチ部材３の接合部８をＬ形部材２の側壁部６の上端に接続する。次に、左右一対のアーチ部材３を、頂部９で接合する。一対のアーチ部材３を接合するには、頂部端面に直交して貫通する図示しない挿通孔にＰＣ鋼棒を挿通し、ＰＣ鋼棒の両端に螺合したナットを締め上げ、ＰＣ鋼棒に緊張力を導入する。これにより、左右のアーチ部材３の頂部９に左右方向の緊張力であるプレストレスを導入する。トンネルの長さ方向に同様の作業を繰り返し行ない、所定数、例えばアーチ部材３を１０セット設置した段階で、トンネルの長さ方向に対し縦締めをし、一体化される。縦締めは、図示しないが、アーチ部材３及びＬ形部材２の外周表面側に形成された縦締用挿通孔にＰＣ鋼棒を挿通し、ＰＣ鋼棒の両端にナットを螺合し、ナットを締め上げ、ＰＣ鋼棒に緊張力を導入して行われる。
【００２４】
次に、現場に設置された上記トンネル部材に現場打ちコンクリートにより中央底版部４を打設する場合について説明する。中央底板部４は、前記Ｌ形部材２の底部５の間に配筋された図示しない鉄筋と、現場打ちコンクリートとにより構成され、前記鉄筋と、前記底部５に予め張り出し形成された鉄筋とが図示しない機械式継手で接続し、鉄筋を接合したＬ形部材２の底部５の間にコンクリートを打設することによって形成される。
【００２５】
次に、埋込体11の変形例について図３、図４を参照して説明する。図３に示す埋込体11は、角管で構成される。こうすることにより、角管の幅Ｗを管の直径Ａと同じ長さとした場合、埋込体11の断面積を大きくすることができるので、アーチ部材３を効率的に軽量化することができる。尚、図示しないが、応力集中を避けるため、四隅はＲ処理がなされていることはいうまでもない。
【００２６】
また、埋込体11の断面形状は図２又は図３に示した円形状、四角形状のものに限らず、楕円形状、長円穴形状、波型形状、又は多角形状等により構成することも可能である。
【００２７】
図４は埋込体11の別の変形例を示す図である。図４に示す埋込体11は、アーチ状に曲げ成形して構成される。こうすることにより、埋込体11は一体化できるので、工場にてアーチ部材３を形成する際、工数を低減できコストを削減することができる。
【００２８】
このように、本実施形態に係るトンネル構造１が、複数の分割されたプレキャストコンクリート製の部材により構成され、軽量化されたアーチ部材３を使用することにより、現場打ちコンクリートで構築した場合に比べ、型枠の設置、解体が不要になるなど、大幅に作業工数を低減でき、コストを大幅に低減できる。また、トンネル構造１が、アーチ部材３が軽量であり、しかも、４分割により構成されるため、工場で容易に形成できると共に、容易に輸送し、設置することができる。
【００２９】
上記のように本実施形態では、地盤Ｇ上に設置された側壁に横架されるアーチ状に湾曲したプレキャストコンクリート製のアーチ部材３であって、埋込体11を埋設しているから、アーチ部材３を中空にして、軽量化を図り、アーチ部材３の運搬、設置を容易にすることによりコストを低減できる。
【００３０】
また、前記埋込体11が中空であって、複数の管を同軸上に連結して構成されるから、アーチ部材３の周方向の全体に渡って埋込体11を埋設することができ、効果的に軽量化を図れる。
【００３１】
また、前記埋込体11が中空であって、複数の角管を同軸上に連結して構成されるから、角管の幅Ｗを管の直径Ａと同じ長さとした場合、断面積を大きくすることができるので、一定の強度を保持しながら、アーチ部材３を効率的に軽量化することができる。
【００３２】
また、前記埋込体11が中空であって、アーチ状に曲げ成形した管で構成されるから、埋込体11を一体化することができ、工場にてアーチ部材３を形成する際、工数を低減できコストを削減することができる。
【００３３】
次に図５を参照して埋込体15の第２実施例を説明する。本実施例に係る埋込体15は、鋼管で構成され、これによりアーチ部材３の強度を向上することにより、アーチ部材３に配筋される鉄筋を少なくしてアーチ部材３の構成を簡略化してコストの削減を図るものである。本実施例に係る埋込体は、パイプ状の部材で構成してもよいが、複数の部材により鋼管を構成することとしてもよい。例えば、図５に示す埋込体15は、一対の平形鋼16と一対のみぞ形鋼17とにより構成される。平形鋼16とみぞ形鋼17とはそれぞれアーチ部材３と同様に湾曲成形され、上下に平形鋼16を配置し前記平形鋼16に対し左右にみぞ形鋼17を配置し、平形鋼16とみぞ形鋼17を熔接により連結する。このように構成された埋込体15の両端は、図示しない蓋部材で閉塞され、コンクリートの流入を防いで空洞の状態で保持されている。このように、埋込体15を鋼鉄製の部材で構成することにより、アーチ部材３の強度が向上し、アーチ部材３内に配筋される鉄筋の部材量を削減でき、アーチ部材３の構成を簡略化することによってコストの低減を図ることができる。
【００３４】
上記のように本実施形態では、前記埋込体15が、一対の平形鋼16と一対のみぞ形鋼17とからなる鋼管で構成されるから、アーチ部材３の強度が向上し、アーチ部材３内に配筋される鉄筋を簡略化でき、アーチ部材３の構成を簡素化することによってコストの低減を図ることができる。
【００３５】
また、地盤Ｇ上に設置された側壁に横架され、アーチ状に湾曲成形されたプレキャストコンクリート製のアーチ部材３において、埋込体15が埋設されており、前記埋込体15はアーチ状に曲げ成形した鋼管で構成され、前記鋼管は一対の平形鋼16と一対のみぞ形鋼17とを備えコンクリートが内部に流入しないように構成されるから、軽量化を図ると共に、アーチ部材３の強度を向上することができるので、アーチ部材３内に配筋される鉄筋を簡略化でき、アーチ部材３の構成を簡素化することによってコストの低減を図ることができる。
【００３６】
本発明は、本実施形態に限定されるものではなく、本発明の要旨の範囲内で種々の変形実施が可能である。例えば、上記した実施例では、埋込体は中空であって、内部が駆動であるものを例示したが、本発明はこれに限らず、軽量の素材で構成された中実部材であってもよい。
【００３７】
また、上記した実施例では、アーチ部材はトンネル構造に用いる場合について説明したが、本発明はこれに限らず、アーチ橋に用いてもよい。
【図面の簡単な説明】
【００３８】
【図１】本発明の第１実施例に係るアーチ部材を備えたトンネル構造を示す縦断面図である。
【図２】本発明の第１実施例に係るアーチ部材の縦断面図である。
【図３】本発明の第１実施例に係る変形例を示すアーチ部材の縦断面図である。
【図４】本発明の第１実施例に係る別の変形例を示すトンネル構造の縦断面図である。
【図５】本発明の第２実施例に係るアーチ部材の縦断面図である。
【符号の説明】
【００３９】
３ アーチ部材
11 埋込体
Ｇ 地盤
【図１】
0004524800.tif 000002
【図２】
0004524800.tif 000003
【図３】
0004524800.tif 000004
【図４】
0004524800.tif 000005
【図５】
0004524800.tif 000006